(57)【要約】【課題】ゴルフスコアカードケースと鏡を一体化させて携帯の便利を図る。【解決手段】ゴルフスコアカードを収納する収納部（８２，９２）と、ケースの１側面に取り付けた鏡（４Ｂ）とを有することを特徴とする。たとえば、ケースが３つ折りのものであり、見開き状態でＬ字型に配列されるとともに、内側見開き第１・第２面（８，９）にゴルフスコアカード収納部（８２，９２）を設け、外側見開き第３面（１０）に鏡（４Ｂ）を取り付けたものである。【選択図】図１０
0003157450.tif 000002
【実用新案登録請求の範囲】
【請求項１】
ゴルフスコアカードを収納する収納部（２２，３２：５２，６２：８２，９２）と、ケースの１側面に取り付けた鏡（４：４Ａ，４Ｂ）とを有することを特徴とするゴルフスコアカードケース（１，１Ａ，１Ｂ）。
【請求項２】
ゴルフスコアカードケースが２つ折りのものであり、内側見開きにゴルフスコアカード収納部（２２，３２）を設け、外側見開き片面に鏡（４Ａ）を取り付けたものである請求項１記載のゴルフスコアカードケース（１）。
【請求項３】
ゴルフスコアカードケースが３つ折りのものであり、見開き状態で横一列に配列されるとともに、内側見開きの第１・第２面（５，６）にゴルフスコアカード収納部（５２，６２）を設け、第３面（７）に鏡（４Ａ）を取り付けたものである請求項１記載のゴルフスコアカードケース（１Ａ）。
【請求項４】
ゴルフスコアカードケースが３つ折りのものであり、見開き状態でＬ字型に配列されるとともに、内側見開きの第１・第２面（８，９）にゴルフスコアカード収納部（８２，９２）を設け、外側見開きの第３面（１０）に鏡（４Ｂ）を取り付けたものである請求項１記載のゴルフスコアカードケース（１Ｂ）。
【考案の詳細な説明】
【技術分野】
【０００１】
本考案はゴルフスコアカードケース（又はホルダ）に関する。
【背景技術】
【０００２】
ゴルフスコアカードはゴルフプレイヤーがゴルフの成績を書き込むためにプレー中携行するものであり、ケースに収容されるのが普通である。そのようなケースの従来例として、登録実用新案第３０８０２４４号、登録実用新案第３０６７９８１号、登録実用新案第３０５４８００号が知られている。
【０００３】
一方、男性プレーヤーでもそうであろうが、特に女性プレーヤーの場合、プレー中の身だしなみにも気を遣うので、鏡を携帯している人がいる。
【考案の概要】
【考案が解決しようとする課題】
【０００４】
ゴルフスコアカードケースと鏡を両方とも携帯するのは煩わしいものである。本考案は、両者を一体化させて携帯の便利を図ることを目的とする。
【課題を解決するための手段】
【０００５】
本考案は、ゴルフスコアカードを収納する収納部を有するゴルフスコアカードケースにおいて、鏡を１側面に取り付けたことを特徴とする（請求項１）。
【０００６】
ゴルフスコアカードケースは２つ折りのものとすることができ、内側見開きにゴルフスコアカード収納部を設け、外側見開き片面に鏡を取り付けたものとすることができる（請求項２）。
【０００７】
別のやり方では、ゴルフスコアカードケースは３つ折りのものであり、見開き状態で横一列に配列されるとともに、内側見開き第１・第２面にゴルフスコアカード収納部を設け、第３面に鏡を取り付けたものとすることができる（請求項３）。
【０００８】
さらに別のやり方では、ゴルフスコアカードケースは３つ折りのものであり、見開き状態でＬ字型に配列されるとともに、内側見開き第１・第２面にゴルフスコアカード収納部を設け、外側見開き第３面に鏡を取り付けたものとすることができる（請求項４）。
【考案の効果】
【０００９】
本考案によれば、鏡がゴルフスコアカードと一体化されるので、両方とも個別に携帯する必要がなくなる。
【００１０】
請求項２の考案によれば、２つ折りのケースであるので、安価簡便に製作することができる。
【００１１】
請求項３および４の考案によれば、３つ折りのケースであるので、ケースを折りたたんだ状態では鏡は内側に位置し、外部からは見えない。
【図面の簡単な説明】
【００１２】
【図１】第１実施例の斜視図である。
【図２】別の角度から見た第１実施例の斜視図である。
【図３】第１実施例の外側見開き正面図である。
【図４】第１実施例の内側見開き正面図である。
【図５】図２の５−５断面図である。
【図６】第２実施例の斜視図である。
【図７】第２実施例の外側見開き正面図である。
【図８】第２実施例の内側見開き正面図である。
【図９】図７の９−９断面図である。
【図１０】第３実施例の斜視図である。
【図１１】別の角度から見た第３実施例の斜視図である。
【図１２】第３実施例の外側見開き正面図である。
【図１３】第３実施例の内側見開き正面図である。
【図１４】図１２の１４−１４断面図である。
【考案を実施するための形態】
【００１３】
以下、添付の図面に基づき、本考案の実施例を説明する。
【実施例１】
【００１４】
図１〜５は、本考案第１実施例にかかるゴルフスコアカードケース１である。図１および２に示すように、２つ折りが可能な２枚のシート２，３からなるケースである。図３は外側見開きを示し、図４が内側見開きを示している。
【００１５】
図４および図５に示すように、内側見開きの両端には透明シート２１，３１で袋状に第１・第２収納部２２，３２が形成されている。この収納部にゴルフスコアカード（図示せず）の一端を差し込んで記録および保管する。
【００１６】
図３および図５に示すように、外側見開きの片面２には鏡４が取り付けられ、もう片面３には第３収納部３３が形成されている。鏡４は、ガラス製に限らず、アクリルやポリカーボネートの板又はフィルム等を使用したものでもよい。また、鏡４は、ケースに直接接着してもよいし、鏡４の周辺部をケース周辺部に形成した袋状収納部（図示せず）の中に収納してもよい。第３収納部３３の使い方は各人の自由であるが、たとえば筆記具を挟むことができる。
【実施例２】
【００１７】
図６〜９は、本考案第２実施例にかかるゴルフスコアカードケース１Ａである。図６に示すように、３つ折りが可能な、横一列の３枚のシート５，６，７からなるケースである。図７は外側見開きを示し、図８が内側見開きを示している。
【００１８】
図８および図９に示すように、内側見開きの第１・第２面５，６の両端には透明シート５１，６１で袋状に第１・第２収納部５２，６２が形成されている。この収納部にゴルフスコアカードの一端を差し込んで記録および保管する。内側見開きの第３面７には鏡４Ａが取り付けられている。第３面７は、折りたたんだとき、内側に位置するので、第１実施例と異なり、ケースを折りたたんだ状態では鏡４Ａは外部からは見えない。鏡４Ａは、ガラス製に限らず、アクリルやポリカーボネートの板又はフィルム等を使用したものでもよい。
【００１９】
図７および図９に示すように、外側見開きの第１・第２面５，６はケースの表、裏を形成する。第３面７には第３収納部５３が形成されている。第３収納部５３の使い方は各人の自由であるが、たとえば筆記具を挟むことができる。
【実施例３】
【００２０】
図１０〜１４は、本考案第３実施例にかかるゴルフスコアカードケース１Ｂである。図１０および１１に示すように、３つ折りが可能な、見開きＬ字型の３枚のシート８，９，１０からなるケースである。図１２は外側見開きを示し、図１３が内側見開きを示している。
【００２１】
図１３に示すように、内側見開きの第１・第２面８，９の両端には透明シート８１，９１で袋状に第１・第２収納部８２，９２が形成されている。この収納部にゴルフスコアカードの一端を差し込んで記録および保管する。内側見開きの第３面１０は、第２面９の上部に位置する。第３面１０は、折りたたんだとき、内側に位置する。
【００２２】
図１２に示すように、外側見開きの第１・第２面８，９はケースの表、裏を形成する。第２面外側９には第３収納部９３が形成されている。第３収納部９３の使い方は各人の自由であるが、たとえば筆記具を挟むことができる。第３面１０外側には鏡４Ｂが取り付けられている。第３面は、折りたたんだとき、内側に位置するので、第１実施例と異なり、ケースを折りたたんだ状態では鏡４Ｂは外部からは見えない。鏡４Ｂは、ガラス製に限らず、アクリルやポリカーボネートの板又はフィルム等を使用したものでもよい。
【符号の説明】
【００２３】
１，１Ａ，１Ｂ       ゴルフスコアカードケース
２  第１実施例の第１面
３  第１実施例の第２面
４，４Ａ，４Ｂ       鏡
５  第２実施例の第１面
６  第２実施例の第２面
７  第２実施例の第３面
８  第３実施例の第１面
９  第３実施例の第２面
１０  第３実施例の第３面
２１，３１    透明シート
２２  第１収納部
３２  第２収納部
３３  第３収納部
５１，６１    透明シート
５２  第１収納部
６２  第２収納部
６３  第３収納部
８１，９１    透明シート
８２  第１収納部
９２  第２収納部
９３  第３収納部
【先行技術文献】
【特許文献】
【００２４】
【特許文献１】登録実用新案第３０８０２４４号
【特許文献２】登録実用新案第３０６７９８１号
【特許文献３】登録実用新案第３０５４８００号
【図１】
0003157450.tif 000003
【図２】
0003157450.tif 000004
【図３】
0003157450.tif 000005
【図４】
0003157450.tif 000006
【図５】
0003157450.tif 000007
【図６】
0003157450.tif 000008
【図７】
0003157450.tif 000009
【図８】
0003157450.tif 000010
【図９】
0003157450.tif 000011
【図１０】
0003157450.tif 000012
【図１１】
0003157450.tif 000013
【図１２】
0003157450.tif 000014
【図１３】
0003157450.tif 000015
【図１４】
0003157450.tif 000016